(57)【要約】【課題】  本発明は、極めて商品価値の高い画期的な挟持工具を提供することを目的とする。【解決手段】  一対の握持半体１Ａ，１Ｂ同士を開閉自在に枢着して成る握持操作部１と、この握持操作部１の先端部に設けられ、握持操作部１の握持操作によりトグル機構Ｔを介して閉塞動して挟持物３を挟持し得る挟持部２とから成り、前記握持操作部１を握持操作することで前記挟持部２で挟持物３を挟持した際、この挟持部２の挟持状態がロックされる挟持ロック機構Ｒを具備し、前記挟持物３としてのビスやネジなどの止着部材３の頭部３ａ周面に凹凸係合する係合凹部４，５を前記挟持部２の対向挟持面２Ａ，２Ｂ夫々に形成したものである。【選択図】      図１
2005230967.tif 000002
【特許請求の範囲】
【請求項１】
一対の握持半体同士を開閉自在に枢着して成る握持操作部と、この握持操作部の先端部に設けられ、握持操作部の握持操作によりトグル機構を介して閉塞動して挟持物を挟持し得る挟持部とから成り、前記握持操作部を握持操作することで前記挟持部で挟持物を挟持した際、この挟持部の挟持状態がロックされる挟持ロック機構を具備し、前記挟持物としてのビスやネジなどの止着部材の頭部周面に凹凸係合する係合凹部を前記挟持部の対向挟持面夫々に形成したことを特徴とする挟持工具。
【請求項２】
前記挟持部の対向挟持面夫々の長さ方向にして挟持部の先端に端部が開口する凹溝を形成して前記係合凹部を構成したことを特徴とする請求項１記載の挟持工具。
【請求項３】
前記挟持部の対向挟持面夫々の長さ方向にして挟持部の基端に向けて下り傾斜する凹溝を形成して前記係合凹部を構成したことを特徴とする請求項１，２のいずれか１項に記載の挟持工具。
【請求項４】
前記係合凹部を断面Ｖ字状としたことを特徴とする請求項１〜３のいずれか１項に記載の挟持工具。
【発明の詳細な説明】
【技術分野】
【０００１】
本発明は、ビスやネジなどの止着部材を確実に挟持して回動させることができる挟持工具に関するものである。
【背景技術】
【０００２】
従来から、例えば壁面に螺着されるネジやビスなどの止着部材を螺出しようとした際、この止着部材を強引に螺動させようとして該止着部材の頭部に形成される嵌入溝が潰れてしまう（所謂なめてしまう）場合がある。
【発明の開示】
【発明が解決しようとする課題】
【０００３】
そこで、従来においては、ドライバーの基端部に手のひらを強く押し付けながらドライバーを回動させるなどしているが、実際には上手く螺出できないのが現状であり、専用の工具で止着部材を削るなどして外している。
【０００４】
本出願人は、上述した問題点に鑑み、例えば嵌入溝が潰れて回動できない状態の止着部材を挟持して螺動させることができる極めて商品価値の高い画期的な挟持工具を開発した。
【課題を解決するための手段】
【０００５】
添付図面を参照して本発明の要旨を説明する。
【０００６】
一対の握持半体１Ａ，１Ｂ同士を開閉自在に枢着して成る握持操作部１と、この握持操作部１の先端部に設けられ、握持操作部１の握持操作によりトグル機構Ｔを介して閉塞動して挟持物３を挟持し得る挟持部２とから成り、前記握持操作部１を握持操作することで前記挟持部２で挟持物３を挟持した際、この挟持部２の挟持状態がロックされる挟持ロック機構Ｒを具備し、前記挟持物３としてのビスやネジなどの止着部材３の頭部３ａ周面に凹凸係合する係合凹部４，５を前記挟持部２の対向挟持面２Ａ，２Ｂ夫々に形成したことを特徴とする挟持工具に係るものである。
【０００７】
また、前記挟持部２の対向挟持面２Ａ，２Ｂ夫々の長さ方向にして挟持部２の先端に端部が開口する凹溝を形成して前記係合凹部４，５を構成したことを特徴とする請求項１記載の挟持工具に係るものである。
【０００８】
また、前記挟持部２の対向挟持面２Ａ，２Ｂ夫々の長さ方向にして挟持部２の基端に向けて下り傾斜する凹溝を形成して前記係合凹部４，５を構成したことを特徴とする請求項１，２のいずれか１項に記載の挟持工具に係るものである。
【０００９】
また、前記係合凹部４，５を断面Ｖ字状としたことを特徴とする請求項１〜３のいずれか１項に記載の挟持工具に係るものである。
【発明の効果】
【００１０】
本発明は上述のように構成したから、挟持工具としての本来の目的の他にも、例えば頭部に形成される嵌入溝が潰れた止着部材を回動させる作業にも使用できて良好に回動させることができるなど極めて商品価値の高い画期的な挟持工具となる。
【発明を実施するための最良の形態】
【００１１】
好適と考える本発明の実施形態（発明をどのように実施するか）を、図面に基づいて本発明の作用を示して簡単に説明する。
【００１２】
本発明は、挟持物３としてのネジやビスなどの止着部材３の頭部３ａを挟持部２で挟持し、この状態で握持操作部１を握持したまま回動させることで止着部材３を回動させることができる。この際、握持操作部１を握持操作することにより挟持部２はトグル機構Ｔを介して挟持せしめられる為、ネジやビスなどの止着部材３を堅固に挟持し、且つ、挟持ロック機構Ｒにより挟持部２の挟持状態がロックされている。
【００１３】
ところで、挟持部２の対向挟持面２Ａ，２Ｂ夫々には、止着部材３の頭部３ａ周面に凹凸係合する係合凹部４，５が設けられており、よって、挟持部２が滑ったりせず止着部材３を堅固に挟持した状態で良好に回動させることができる。
【００１４】
従って、挟持物３を挟持した状態をロックでき、例えば握持をゆるめても手を放しても挟持したままとすることができ、言い換えると、挟持物３にプライヤーを挟持した状態に固定できる所謂挟持ロック機構付きのプライヤーとしての使用が可能であるのは勿論、例えば頭部３ａに形成される嵌入溝が潰れた止着部材３を回動させる場合、挟持部２で止着部材３の頭部３ａを挟持させた際には、挟持部２の対向挟持面２Ａ，２Ｂ夫々に形成された係合凹部４，５が頭部３ａ周面に凹凸係合し、しかも、トグル機構Ｔ及び挟持ロック機構Ｒが機能することで、挟持工具が止着部材３と一体化したような状態となり、握持操作部１を握持する手が滑ることもなく握持操作部１を捻る力が確実に止着部材３に伝わり、良好に止着部材３を回動させることができることになるなど、専ら挟むことに使用されてきた挟持工具に他の用途を付与することができる。
【００１５】
また、挟持部２の対向挟持面２Ａ，２Ｂ夫々の長さ方向にして挟持部２の先端に端部が開口する凹溝を形成して係合凹部４，５を構成した場合には、挟持部２を止着部材３の長さ方向から配して頭部３ａを挟み込むことができ、力を伝え易い状態が確実に得られることになり、止着部材３の頭部３ａを挟持して回動させるものとして良好となる。
【００１６】
また、挟持部２の対向挟持面２Ａ，２Ｂ夫々の長さ方向にして挟持部２の基端に向けて下り傾斜する凹溝を形成して係合凹部４，５を構成した場合には、例えば係合凹部４，５を止着部材３の頭部３ａ周面に凹凸係合させた際、止着部材３の頭部３ａが挟持部２の基端側に落ち込もうとすることになり、この落ち込み力は止着部材３を引き込んで抜け防止となり、且つ、堅固な挟持を達成することになるなど、例えば球状タイプの頭部３ａの止着部材３でも確実且つ良好に回動させることができることになる。
【００１７】
また、係合凹部４，５を断面Ｖ字状とした場合には、挟持部２で挟持した際には、対向する係合凹部４，５同志で常に良好な角度・位置（計４箇所）で止着部材３の頭部３ａ周面に当接させることができることになり、よって、種々提案される頭部３ａの大きさに対応して止着部材３を良好に回動させることができることになる。
【実施例】
【００１８】
本発明の具体的な実施例について図面に基づいて説明する。
【００１９】
符号３は頭部３ａとネジ棒部３ｂとから成る挟持物としての止着部材、３ａ'は頭部３ａに形成される嵌入溝である。
【００２０】
本実施例は、一対の握持半体１Ａ，１Ｂ同士を開閉自在に枢着して成る握持操作部１と、この握持操作部１の先端部に設けられ、握持操作部１の握持操作によりトグル機構Ｔを介して閉塞移動して挟持物を挟持し得る挟持部２とから成り、前記握持操作部１を握持操作することで前記挟持部２で挟持物３を挟持した際、この挟持部２の挟持状態がロックされる挟持ロック機構Ｒを具備したものである。
【００２１】
具体的には、トグル機構Ｔ及び挟持ロック機構Ｒは、握持操作部１を閉塞操作して先端の挟持部２によって挟持物３を挟持した挟持状態において、三点の軸着部のうち中間の軸着部を頂点としてこの三点の軸着部がく字状に配設されるく字状連結部が形成され、握持操作部１を更に強く閉塞操作することで、このく字状連結部が逆反りく字状となる位置に頂点の軸着部が移動することで前記挟持状態がロックされるように構成している。
【００２２】
更に具体的に説明すると、図１，５に図示したように先端に挟持面２Ａを設け、基端側を一方側握持半体１Ａに連結される挟持半体６に、先端に挟持面２Ｂを設けた他方の挟持半体７（挟持あご体７）の基端側一端部を軸着し、この他方の挟持半体７の基端側他端部に他方側握持半体１Ｂを軸着し、前記一方側握持半体１Ａに対して他方側握持半体１Ｂを開閉動作することで、前記他方の挟持半体７の基端側一端部の軸着部８を支点に先端の挟持面２Ｂが開閉動作して挟持面２Ｂが広狭するように構成し、この他方側挟持半体１Ｂの途中に他方側握持半体１Ｂと一方側握持半体１Ａとを連結するリンク連結部９（トグルレバー）を斜設状態に軸着し、一方側握持半体１Ａに前記リンク連結部９との軸着部10位置を移動調整できる移動調整機構Ｓを設けた構成としている。
【００２３】
即ち、他方の挟持半体７の基端側他端部と他方側握持半体１Ｂの先端部との軸着部11、他方側握持半体１Ｂの途中とリンク連結部９との軸着部10並びにリンク連結部９と一方側握持半体１Ａの途中との枢着部12が、挟持状態においてく字状に配設され前記く字状連結部Ｋが形成され、挟持状態で更に強く一方側握持半体１Ａに対して他方側握持半体１Ｂを握持押圧することで、このく字状連結部Ｋの頂点である他方側握持半体１Ｂの途中とリンク連結部９との軸着部10が内方へ押圧され、く字状連結部Ｋが各軸着部でのクリアランスなどによって逆く字状に反り返り挟持状態がロックできる構成としている。
【００２４】
また、他方側挟持半体１Ｂには、このロックした（移動した）頂点軸着部10を戻り動する解除操作部13を設けている。
【００２５】
従って、挟持物３を挟持した状態で調整ボルトによる移動調整機構Ｓによりく字状連結部Ｋがややく字状となるようにリンク連結部９と一方側握持半体１Ａとの軸着部12位置を移動させると共に、リンク連結部９の傾斜具合を調整し、そして強く閉塞操作することで前述のように挟持ロックできるように構成している。尚、このトグル機構Ｔ及び挟持ロック機構Ｒとしては、本実施例で説明した機構に限られるものではなく、例えば本出願人が提案する特開２００１−３４１０７８号で開示される挟持ロック機構を採用するなど本実施例の特性を発揮する構成であれば適宜設計変更し得るものである。
【００２６】
また、本実施例では、挟持部２の対向挟持面２Ａ，２Ｂ夫々に挟持物３としてのビスやネジなどの止着部材３の頭部３ａ周面に凹凸係合する係合凹部４，５を形成している。
【００２７】
具体的には、係合凹部４，５は、図２，３に図示したように前記挟持部２の対向挟持面２Ａ，２Ｂ夫々の長さ方向にして挟持部２の先端に開口部４ａ，５ａを有する断面Ｖ字状の凹溝を形成して構成されており、係合凹部４，５を止着部材３の長さ方向となるように止着部材３の頭部３ａに配して挟持部２で挟持することができ、よって、挟持部２の最も力の入る先端部分で挟持することができ、そして、この係合凹部４，５の傾斜する係合面４ｂ，５ｂを止着部材３の頭部３ａ周面に凹凸係合させた際、夫々傾斜する係合面４ｂ，５ｂが頭部３ａ周面に計４箇所で点接触することになるから、止着部材３を回動させるに十分堅固に挟持することができる。
【００２８】
また、係合凹部４，５は、図３，６に図示したようにその断面Ｖ字状の凹溝の内面が挟持部２の対向挟持面２Ａ，２Ｂ夫々の長さ方向にして挟持部２の先端縁から基端側に向けて下り傾斜状に形成されており、即ち、係合凹部４，５（係合面）同志の対向間隔が挟持部２の基端側所定位置Ｐ１まで徐々に広がるように傾斜形成されている。これは、係合凹部４，５を止着部材３の頭部３ａ周面に凹凸係合させた際、止着部材３の頭部３ａが挟持部２の基端側に落ち込もうとすることになり、この落ち込み力は止着部材３を引き込んで抜け防止となり、且つ、堅固な挟持を達成することに貢献する。従って、例えば球状タイプの頭部３ａの止着部材３でも確実且つ良好に回動させることができることになる。
【００２９】
本実施例は上述のように構成したから、ネジやビスなどの止着部材３の頭部３ａを挟持部２で挟持し、この状態で握持操作部１を握持したまま回動させることで止着部材３を回動させることができる。この際、握持操作部１を握持操作することにより挟持部２はトグル機構Ｔを介して挟持せしめられる為、ネジやビスなどの止着部材３を堅固に挟持し、且つ、挟持ロック機構Ｒにより挟持部２の挟持状態がロックされている。
【００３０】
本実施例は、挟持部２の対向挟持面２Ａ，２Ｂ夫々には、止着部材３の頭部３ａ周面に凹凸係合する係合凹部４，５が設けられており、よって、挟持部２が滑ったりせず止着部材３を堅固に挟持した状態で良好に回動させることができる。
【００３１】
よって、本実施例によれば、挟持物３を挟持した状態をロックでき、例えば握持をゆるめても手を放しても挟持したままとすることができ、言い換えると、挟持物３にプライヤーを挟持した状態に固定できる所謂挟持ロック機構付きのプライヤーとしての使用が可能であるのは勿論、例えば頭部３ａに形成される溝が潰れた止着部材３を回動させる場合、挟持部２で止着部材３の頭部３ａを挟持させた際には、挟持部２の対向挟持面２Ａ，２Ｂ夫々に形成された係合凹部４，５が頭部３ａ周面に凹凸係合し、しかも、トグル機構Ｔ及び挟持ロック機構Ｒが機能することで、挟持工具が止着部材３と一体化したような状態となり、握持操作部１を握持する手が滑ることもなく握持操作部１を捻る力が確実に止着部材３に伝わり、良好に止着部材３を回動させることができることになるなど、専ら挟むことに使用されてきた挟持工具に他の用途を付与することができ、そして、単なる挟持工具に設けたのではなく、非常に挟持力のあるトグル機構Ｔ及び挟持ロック機構Ｒ付き構造の挟持工具に設けたから止着部材３を回動させるものとして良好である。
【００３２】
また、本実施例は、挟持部２の対向挟持面２Ａ，２Ｂ夫々の長さ方向にして挟持部２の先端に端部が開口する凹溝を形成して係合凹部４，５を構成した場合には、挟持部２を止着部材３の長さ方向から挟み込むことができ、力を伝え易い状態が確実に得られることになり、止着部材３の頭部３ａを挟持して回動させるものとして良好となる。
【００３３】
また、本実施例は、挟持部２の対向挟持面２Ａ，２Ｂ夫々の長さ方向にして挟持部２の先端に端部が開口する凹溝を形成して前記係合凹部４，５を構成したから、より一層止着部材３に対する堅固な挟持が達成され、止着部材３の頭部３ａを挟持して回動させるものとして良好となる。
【００３４】
また、本実施例は、挟持部２の対向挟持面２Ａ，２Ｂ夫々の長さ方向にして挟持部２の基端に向けて下り傾斜する凹溝を形成して前記係合凹部４，５を構成したから、挟持物をより一層堅固に挟持することができることになる。
【００３５】
また、本実施例は、係合凹部４，５を断面Ｖ字状とした場合には、挟持部２で挟持した際には、対向する係合凹部４，５同志で常に良好な角度・位置（計４箇所）で止着部材３の頭部３ａ周面に当接させることができることになり、よって、種々提案される頭部３ａの大きさに対応して止着部材３を良好に回動させることができることになる。
【００３６】
尚、本発明は、本実施例に限られるものではなく、各構成要件の具体的構成は適宜設計し得るものである。
【図面の簡単な説明】
【００３７】
【図１】本実施例を示す正面図である。
【図２】本実施例に係る要部の断面図である。
【図３】本実施例に係る要部を示す斜視図である。
【図４】本実施例の説明斜視図である。
【図５】本実施例に係る要部を説明する断面図である。
【図６】本実施例に係る要部を説明する部分拡大断面図である。
【符号の説明】
【００３８】
１  握持操作部
１Ａ  握持半体
１Ｂ  握持半体
２  挟持部
２Ａ  対向挟持面
２Ｂ  対向挟持面
３  挟持物・止着部材
３ａ  頭部
４  係合凹部
５  係合凹部
【図１】
2005230967.tif 000003
【図２】
2005230967.tif 000004
【図３】
2005230967.tif 000005
【図４】
2005230967.tif 000006
【図５】
2005230967.tif 000007
【図６】
2005230967.tif 000008